(57)【要約】【課題】薄型化を容易且つ安価に行うことができるクリック機能付き電子部品を提供する。【解決手段】ケース１５０と回転体９０の間に操作つまみ２１０の回転と共に回転するクリックバネ１２０を設置し、ケース１５０のグリスを塗布したクリック当接面１５８に設けたクリック係合穴１５９にクリックバネ１２０のクリック弾接部１３１を係合させることによりクリック感触を生じさせる。ケース１５０のクリック係合穴１５９を貫通孔で構成すると共に、ケース１５０の操作つまみ２１０を設置する側の面にクリック係合穴１５９を塞ぐ塞ぎ板１７０を設置する。【選択図】図１
2009146649.tif 000002
【特許請求の範囲】
【請求項１】
ケースと、ケースの一方の面側に設置される操作つまみと、ケースの他方の面側に設置され操作つまみの移動と共に移動する移動体と、移動体の移動によって電気的出力を変化する電気的機能部とを具備し、
ケースと移動体の間に操作つまみの移動と共に移動するクリックバネを設置し、前記ケースのグリスを塗布したクリック当接面に設けたクリック係合穴に前記クリックバネに設けたクリック弾接部を係合させることによりクリック感触を生じさせるクリック機能付き電子部品において、
前記ケースのクリック係合穴を貫通孔で構成すると共に、ケースの操作つまみを設置する側の面に前記クリック係合穴を塞ぐ塞ぎ板を設置したことを特徴とするクリック機能付き電子部品。
【請求項２】
前記塞ぎ板は、この塞ぎ板と操作つまみ間の動摩擦係数の方が、前記ケースと操作つまみ間の動摩擦係数よりも小さくなる材質の合成樹脂板によって構成されていることを特徴とする請求項１に記載のクリック機能付き電子部品。
【請求項３】
前記クリック機能付き電子部品はさらに、前記ケースを載置する取付台と、この取付台を揺動自在に支持する支持部材と、前記取付台の揺動によって押圧される押圧スイッチと、を具備していることを特徴とする請求項１又は２に記載のクリック機能付き電子部品。
【発明の詳細な説明】
【技術分野】
【０００１】
本発明はクリック機能付き電子部品に関するものである。
【背景技術】
【０００２】
従来、回転式電子部品やスライド式電子部品の中には、操作つまみを回転又はスライド操作する際にクリック感触を生じるクリック機能付き電子部品がある。例えば特許文献１の図１（ｂ）に示すクリック機能付き電子部品は、ケース（５０）の上面側につまみ（９０）を設置し、ケース（５０）の下面にリング状の凹凸面（５５）を設け、その下側に凹凸面（５５）に弾接する弾接部（２１１）を有するクリックバネ（２１０）と摺動型物（１０）とを設置し、つまみ（９０）とクリックバネ（２１０）と摺動型物（１０）とをケース（５０）を介して回転自在に一体に固定すると共に、摺動型物（１０）の下面側に基板（３０）と摺動子（１１０）等からなる電気的機能部を設けて構成されている。そしてつまみ（９０）を回転すれば、これと一体に回転する基板（３０）に摺動子（１１０）が摺接してその電気的出力が変化すると同時に、クリックバネ（２１０）の弾接部（２１１）が凹凸面（５５）に弾接してクリック感触を生じる。
【０００３】
また例えば特許文献２の図１に示すように、ケース（８０）の下面に凹凸面を設ける代りに、ケース（８０）の下面に別途クリック係合部（７５ａ〜７５ｄ）を設けたクリック板（７０）を取り付ける構造のクリック機能付き電子部品もある。
【０００４】
そして上記各種構造のクリック機能付き電子部品には、さらなる薄型化が要求されているが、その要望に答えることはできなかった。また特許文献２のクリック板（７０）は硬質の金属板をプレス加工して製造されるので、製造工程が煩雑でコストの低減化が図れないという問題もあった。
【特許文献１】特開平８−５５５４３号公報
【特許文献２】特開２００２−１９０４０３号公報
【発明の開示】
【発明が解決しようとする課題】
【０００５】
本発明は上述の点に鑑みてなされたものでありその目的は、さらなる薄型化を容易且つ安価に行うことができるクリック機能付き電子部品を提供することにある。
【課題を解決するための手段】
【０００６】
本願請求項１に記載の発明は、ケースと、ケースの一方の面側に設置される操作つまみと、ケースの他方の面側に設置され操作つまみの移動と共に移動する移動体と、移動体の移動によって電気的出力を変化する電気的機能部とを具備し、ケースと移動体の間に操作つまみの移動と共に移動するクリックバネを設置し、前記ケースのグリスを塗布したクリック当接面に設けたクリック係合穴に前記クリックバネに設けたクリック弾接部を係合させることによりクリック感触を生じさせるクリック機能付き電子部品において、前記ケースのクリック係合穴を貫通孔で構成すると共に、ケースの操作つまみを設置する側の面に前記クリック係合穴を塞ぐ塞ぎ板を設置したことを特徴とするクリック機能付き電子部品にある。
【０００７】
本願請求項２に記載の発明は、前記塞ぎ板は、この塞ぎ板と操作つまみ間の動摩擦係数の方が、前記ケースと操作つまみ間の動摩擦係数よりも小さくなる材質の合成樹脂板によって構成されていることを特徴とする請求項１に記載のクリック機能付き電子部品にある。
【０００８】
本願請求項３に記載の発明は、前記クリック機能付き電子部品はさらに、前記ケースを載置する取付台と、この取付台を揺動自在に支持する支持部材と、前記取付台の揺動によって押圧される押圧スイッチと、を具備していることを特徴とする請求項１又は２に記載のクリック機能付き電子部品にある。
【発明の効果】
【０００９】
請求項１に記載の発明によれば、ケースのクリック係合穴を貫通孔で構成したので、ケースの厚みを容易に薄くすることができる。同時にケースの上面にクリック係合穴を塞ぐ塞ぎ板を設置したので、クリック係合面に塗布するグリスの漏れを防ぐことができる。また塞ぎ板はグリスの漏れを防げば良いので容易に薄く構成できる。つまりケースの厚みを薄くできる寸法の方が、塞ぎ板によって厚くなる寸法よりも容易に大きくできるので、クリック機能付き電子部品全体の厚みの薄型化が図れる。また塞ぎ板はクリック係合穴を塞ぐだけで良いので形状が簡単であるばかりか、金属板のような硬い部材を用いる必要がないので、加工も容易である。従ってこのクリック機能付き電子部品を容易に安価に製造できる。
【００１０】
請求項２に記載の発明によれば、操作つまみの移動抵抗を小さくして操作つまみの移動をスムーズに行わせる機能を塞ぎ板に兼用させることができる。また塞ぎ板として合成樹脂板を用いたので、その薄型化及び加工が容易で、クリック機能付き電子部品の薄型化及び低コスト化をより確実に図ることができる。
【００１１】
請求項３に記載の発明によれば、クリック機能付き電子部品に揺動式電子部品の機能を一体化した多機能型の電子部品をコンパクトに構成することができる。
【発明を実施するための最良の形態】
【００１２】
以下、本発明の実施形態を図面を参照して詳細に説明する。
〔第１実施形態〕
図１は本発明を用いて構成した第１実施形態にかかるクリック機能付き電子部品（以下「クリック機能付き回転式電子部品」という）１−１の概略側断面図、図２はクリック機能付き回転式電子部品１−１を上側から見た斜視図、図３，図４はクリック機能付き回転式電子部品１−１を上側から見た分解斜視図（図３はその上側の部品、図４はその下側の部品を示す）、図５，図６はクリック機能付き回転式電子部品１−１を下側から見た分解斜視図（図５はその上側の部品、図６はその下側の部品を示す）である。
【００１３】
これらの図に示すようにクリック機能付き回転式電子部品１−１は、支持部材１０上に、フレキシブル回路基板３０の第２回路基板（以下「第２回路基板部」という）３３と、取付台６０と、フレキシブル回路基板３０の第１回路基板（以下「第１回路基板部」という）３１と、電気的機能部である摺動子１００を取り付けた移動体（以下「回転体」という）９０と、クリック部材（以下「クリックバネ」という）１２０と、ケース１５０と、塞ぎ板１７０と、押釦つまみ１８０と、操作つまみ２１０と、を設置して構成されている。このクリック機能付き回転式電子部品１−１は、クリック機能付き回転式電子部品としての機能の他に、押圧式電子部品の機能と、多方向に揺動して揺動した側のスイッチをオンする揺動式電子部品の機能も併せ持つものである。なお以下の説明において、「上」とは回転体９０からケース１５０や操作つまみ２１０側を向く方向をいい、「下」とはその反対側を向く方向をいうものとする。以下各構成部品について順に説明する。
【００１４】
支持部材１０は金属製の硬質板（例えば鉄板）からなる平板状の支持部材基部１１を有し、支持部材基部１１の外周の略等間隔（略９０°間隔で４ヶ所）の位置から外方に向けて舌片状の係合片取付部１３を突出し、その根元部分を上方に向けて折り曲げて構成されている。各係合片取付部１３には、下記する取付台６０に設けた係合片６７の先端部を挿入して係止する略矩形状の開口からなる係合片挿入部１５が設けられている。
【００１５】
フレキシブル回路基板３０は、可撓性を有する合成樹脂フイルム上に所望の回路パターンを形成して構成されており、細帯状の連結部３５によって第１回路基板部３１と第２回路基板部３３とを連結し、さらに第２回路基板部３３に細帯状の引出部３６を接続して構成されている。合成樹脂フイルムの材質は、可撓性のある合成樹脂フイルムであれば熱可塑性フイルムでも熱硬化性フイルムでも光硬化性フイルムでも良く、この実施形態ではポリエチレンテレフタレート（ＰＥＴ）フイルムを用いているが、それ以外にも例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等を使用しても良い。
【００１６】
フレキシブル回路基板３０の第１回路基板部３１は略円形の外形を有し、中央に上下に貫通する円形の開口部３７を設け、またその外周近傍の所定位置（６ヶ所）に貫通する小孔からなる挿通部３９を設け、さらに第１回路基板部３１の下面の開口部３７の周囲を囲む位置に電気的機能部である摺接パターン４１を形成して構成されている。摺接パターン４１の具体的構成は図示していないが、スイッチパターンであっても良いし、抵抗体パターンであっても良いし、それら以外の各種機能を有するパターンであっても良い。摺接パターン４１は導電塗料を塗布することで形成しても良いし、貼り付けた金属箔をエッチングすることによって形成しても良いし、蒸着等の手段によって形成しても良い。第２回路基板部３３はその外形が前記支持部材基部１１の外形とほぼ同一形状寸法に形成され、その上面の中央に押圧スイッチ（以下「中央スイッチ」という）４３を設置し、中央スイッチ４３の周囲を囲む位置に等間隔（９０°間隔）に複数（４つ）の押圧スイッチ（以下「周囲スイッチ」という）４５を設置して構成されている。中央スイッチ４３及び周囲スイッチ４５は、何れも第２回路基板部３３上に形成した図示しないスイッチパターン上に弾性金属板をドーム形状に形成してなる反転板（この例では可動接点板）４３ａ，４５ａを設置して構成されている。引出部３６には、前記摺接パターン４１や中央，周囲スイッチ４３，４５と接続されている回路パターンが引き出されている。なお中央，周囲スイッチ４３，４５は２枚の重ね合せた基板に設けた一対のスイッチ接点パターンを薄い隙間を介して対向させてなるいわゆるメンブレンスイッチで構成しても良い。
【００１７】
取付台６０は金属板を略円板形状に形成して構成されており、その中央に略円形で上下に貫通する開口部６２を設けている。開口部６２は下記する押釦つまみ１８０の押圧部１８３を上下動自在に挿通させるものであり、その内周面には、押釦つまみ１８０の回り止め係合部１８７を係合する軸方向（上下方向）に伸びる溝からなる回り止め６３が形成されている。また取付台６０の外周近傍部分の６ヶ所（下記するケース１５０の各取付台固定部１５７に対向する位置）には、上下に貫通する小孔からなる取付固定部６５が設けられ、また取付台６０の外周から半径方向外方に向かって等間隔に複数（４ヶ所）の舌片状の係合片６７を突設している。各係合片６７の左右両側面には小突起状の係止部６９が形成されている。一方取付台６０の下面の所定位置（前記各周囲スイッチ４５に対向する位置）には下方向に向かって突出する押圧部７１が形成されている。
【００１８】
回転体９０は合成樹脂を略円板状に成形して構成されており、その中央に開口部９１を設けている。回転体９０の開口部９１を挟んだその１８０°対向する位置（下記する操作つまみ２１０の回転体係止部２１７に対向する位置）には上下に貫通する小孔からなる一対の挿入部９３が設けられ、また挿入部９３と略同一円周上（下記する操作つまみ２１０のクリックバネ固定部２１９に対向する位置）の上面には複数（２つ）の略矩形状の収納凹部９５が設けられている。一方回転体９０の下面の開口部９１の周囲には下方向に向かって突出する筒状の突出部９７が形成されており、突出部９７の周囲の面は下記する摺動子１００を設置する摺動子設置部９８となっている。摺動子設置部９８の所定位置（同一円周上の等間隔（１２０°間隔）の位置）には小突起状の摺動子固定部９９が設けられている。
【００１９】
摺動子１００は弾性金属板製であり、回転体９０の外径寸法よりも若干小さな外径寸法を有する略円形の平板状に形成され、中央に円形に貫通する開口部１０１を設けると共に、等間隔（１２０°間隔）の複数位置（３ヶ所）に前記回転体９０に設けた摺動子固定部９９を挿入する貫通孔からなる取付固定部１０３を設け、さらに各取付固定部１０３を設けた部分の側部から３組の摺接ブラシ１０５を摺動子１００の円周方向に沿って突出して構成されている。各摺接ブラシ１０５の先端近傍には接点部１０７が設けられ、また各組の摺接ブラシ１０５はそれらの根元部分が若干下方に折り曲げられている。
【００２０】
クリックバネ１２０は弾性金属板を略円形に形成した基部１２１と、基部１２１の外周を囲んで１８０°対向する位置に設置される半円弧状の一対のアーム部１２３とを一体に形成して構成されている。基部１２１の中央には上下に貫通する円形の開口部１２５が設けられ、また開口部１２５を挟んで１８０°対向するその両側位置（下記する操作つまみ２１０の回転体係止部２１７に対向する位置）には貫通孔からなる挿通部１２７が設けられ、また挿通部１２７と略同一円周上（下記する操作つまみ２１０のクリックバネ固定部２１９に対向する位置）には複数（２つ）の円弧形状の取付固定部１２９が設けられている。一対のアーム部１２３はその両端が基部１２１の外周から突出する一対の連結部１２８に連結されており、両アーム部１２３の中央付近には上方向に向かって突出するように屈曲してなるクリック弾接部１３１が設けられている。
【００２１】
ケース１５０は合成樹脂（この例ではポリカーボネート（ＰＣ）樹脂）を成形して構成されており、略円形平板状の上面部１５１と、上面部１５１の外周から下方に筒状に突出してなる側壁部１５３とを具備している。上面部１５１の中央には下記する操作つまみ２１０の軸支部２１５を回動自在に挿入・軸支する上下に貫通する円形の開口部１５５を有している。また側壁部１５３の下端辺の複数位置には、前記取付台６０の各取付固定部６５に挿入される突起状の取付台固定部１５７が設けられている。また上面部１５１の裏面は、クリックバネ１２０のクリック弾接部１３１が当接するクリック当接面１５８となっている。クリック当接面１５８にはグリスが塗布されている。そして上面部１５１の開口部１５５の周囲（クリック当接面１５８中）には、前記クリックバネ１２０のクリック弾接部１３１を係合・弾接させる多数の上下に貫通する貫通孔からなる略矩形状のクリック係合穴１５９がリング状に等間隔に設けられている。
【００２２】
塞ぎ板１７０は、フッ素樹脂（この例ではポリテトラフルオロエチレン（ＰＴＦＥ）樹脂）等の摺動性に優れた成形樹脂製の薄形状部材（合成樹脂板）であり、ケース１５０の上面部１５１の外形と略一致する円形の外形を有し、中央に前記ケース１５０の開口部１５５と略同一内径の開口部１７１を設けて構成されている。この塞ぎ板１７０は、前記ケース１５０の貫通するクリック係合穴１５９を塞ぐと同時に、その両面が滑らかで摺動性に優れているのでケース１５０と操作つまみ２１０間に挟持されてケース１５０に対する操作つまみ２１０の移動抵抗を小さくして回転摺動性を向上するものである。即ちこの塞ぎ板１７０は、この塞ぎ板１７０と操作つまみ２１０間の動摩擦係数の方が、ケース１５０と操作つまみ２１０間の動摩擦係数よりも小さくなる材質の合成樹脂板によって構成されており、具体的にはＰＴＦＥ樹脂製の塞ぎ板１７０とＡＢＳ樹脂製の操作つまみ２１０間の動摩擦係数の方が、ＰＣ樹脂製のケース１５０とＡＢＳ樹脂製の操作つまみ２１０間の動摩擦係数よりも小さくなるようにしている。
【００２３】
押釦つまみ１８０は合成樹脂の成形品であり、略円板状の本体部１８１と、本体部１８１の下面中央から下方向に突出する柱状の押圧部１８３とを具備し、また本体部１８１の外周から薄板リング状のつば部１８５を突出して構成されている。また押圧部１８３の外周面には上下方向（軸方向）に沿う突条からなる回り止め係合部１８７が設けられている。
【００２４】
操作つまみ２１０は合成樹脂（この例ではＡＢＳ樹脂）の成形品であり、略円板状の本体部２１１の外周から下方向に向かって筒状に側壁部２１３を突出して構成されている。本体部２１１の中央には上下に貫通して前記押釦つまみ１８０の本体部１８１を挿入する内径寸法（且つつば部１８５の外径寸法よりも小さい内径寸法）の円形の開口部２１２が設けられている。また本体部２１１の下面の開口部２１２の周囲には下方向に突出する筒状の軸支部２１５が設けられている。軸支部２１５の内径寸法は前記押釦つまみ１８０のつば部１８５をちょうど上下動自在に収納できる寸法であり、軸支部２１５の外径寸法は前記ケース１５０の開口部１５５に挿入されて回動自在に軸支される寸法である。軸支部２１５の下端辺の１８０°対向する２ヵ所（前記クリックバネ１２０の一対の挿通部１２７に対向する位置）からは下方向に向かって回転体係止部２１７が突設され、また軸支部２１５の下端辺の前記一対の回転体係止部２１７の間の２ヵ所の位置（前記クリックバネ１２０の各取付固定部１２９に対向する位置）からは下方向に向かってクリックバネ固定部２１９が突設されている。回転体係止部２１７は前記回転体９０の挿入部９３にぴったり挿入される寸法形状に形成され、クリックバネ固定部２１９は前記クリックバネ１２０の取付固定部１２９にぴったり挿入される寸法形状に形成されている。
【００２５】
次にクリック機能付き回転式電子部品１−１の組立方法を説明する。まず予め回転体９０の摺動子設置部９８に摺動子１００を設置し、その際回転体９０の各摺動子固定部９９を摺動子１００の各取付固定部１０３に挿入してその先端を熱かしめして固定しておく。またケース１５０のクリック当接面１５８にグリスを塗布しておく。そして操作つまみ２１０の開口部２１２にその下面側から押釦つまみ１８０の本体部１８１を挿入し、本体部１８１の上面を開口部２１２から操作つまみ２１０の上面側に露出させる。次に操作つまみ２１０の本体部２１１の下面に塞ぎ板１７０を設置してその下側にケース１５０を設置する。このときケース１５０の開口部１５５内に操作つまみ２１０の軸支部２１５が回動自在に挿入され、また操作つまみ２１０の側壁部２１３の内側にケース１５０の側壁部１５３が入り込む。
【００２６】
次にケース１５０の下面側の側壁部１５３内にクリックバネ１２０を挿入する。このとき押釦つまみ１８０の押圧部１８３はクリックバネ１２０の開口部１２５に挿通され、またクリックバネ１２０の基部１２１は操作つまみ２１０の軸支部２１５の下端面に当接し、その際操作つまみ２１０の一対の回転体係止部２１７はクリックバネ１２０の挿通部１２７に挿入され、同時に操作つまみ２１０の一対のクリックバネ固定部２１９はクリックバネ１２０の取付固定部１２９に挿入される。そして両クリックバネ固定部２１９の先端を熱かしめすることで操作つまみ２１０とクリックバネ１２０とをケース１５０を介して一体化する。これによってこのクリックバネ１２０（その基部１２１）だけに操作つまみ２１０のケース１５０からの抜け防止機能を兼用させている。このとき押釦つまみ１８０の本体部１８１は操作つまみ２１０の軸支部２１５の内部空間から抜け出ないように収納されている。そしてクリックバネ１２０の両クリック弾接部１３１はそれぞれケース１５０のクリック当接面１５８に弾接（当接）している。またこのとき操作つまみ２１０の一対の回転体係止部２１７はクリックバネ１２０の基部１２１の下方に突出している。また前記塞ぎ板１７０は操作つまみ２１０とケース１５０（その上面部１５１）の間に挟持されている。
【００２７】
次に前記摺動子１００を取り付けた回転体９０をクリックバネ１２０の下面側に設置する。このとき押釦つまみ１８０の押圧部１８３を回転体９０の開口部９１に挿通させると共に、クリックバネ１２０の下面側に突出している操作つまみ２１０の一対の回転体係止部２１７を回転体９０の挿入部９３に挿入する。なお回転体係止部２１７の先端は回転体９０の挿入部９３内に位置し、回転体９０の下面（摺動子設置部９８の面）からは突出していない。
【００２８】
次にフレキシブル回路基板３０の第１回路基板部３１をその下面（摺接パターン４１を設けた側の面）を上向きとした状態で取付台６０の上面に載置する。このとき取付台６０の各取付固定部６５と第１回路基板部３１の各挿通部３９の位置とを一致させておく。そしてこの第１回路基板部３１を設置した取付台６０を前記ケース１５０の下側に設置する。このとき押釦つまみ１８０の押圧部１８３を、その回り止め係合部１８７が回り止め６３に係合するように、開口部６２内に挿通し、押圧部１８３の下端を取付台６０の下面側に突出させる。そしてケース１５０の各取付台固定部１５７を第１回路基板部３１の各挿通部３９と取付台６０の各取付固定部６５とに挿通し、取付台６０の下面側に突出する取付台固定部１５７の先端を熱かしめする。これによって回転体９０に取り付けた摺動子１００の接点部１０７が第１回路基板部３１上の摺接パターン４１に弾接する。
【００２９】
次にフレキシブル回路基板３０の連結部３５の部分を下方に折り返すことで、第２回路基板部３３を取付台６０の下面に配置し、さらに第２回路基板部３３の下面側に第２回路基板部３３と重なるように支持部材１０を設置する。このとき取付台６０の各係合片６７の係止部６９より先端側の部分を支持部材１０の各係合片取付部１３の係合片挿入部１５内にスナップイン係合によって挿入して取り付ける。このとき取付台６０の各押圧部７１はそれぞれ各周囲スイッチ４５の反転板４５ａ上に当接し、この状態で各係合片６７が各係合片挿入部１５の内周上辺に当接することで、取付台６０が支持部材１０によって揺動自在に支持された状態となる。なおこのとき押釦つまみ１８０の押圧部１８３の下端面も中央スイッチ４３の反転板４３ａ上に当接し、同時につば部１８５の上面は操作つまみ２１０の本体部２１１の下面に当接又は接近している。以上により図１に示すクリック機能付き回転式電子部品１−１が完成する。なお上記組立手順はその一例であり、他の各種異なる組立手順を用いてクリック機能付き回転式電子部品１−１を組み立てても良いことはいうまでもない。
【００３０】
次にクリック機能付き回転式電子部品１−１の動作を説明する。まず操作つまみ２１０を回転すると、これと一体にクリックバネ１２０及び回転体９０及び摺動子１００が回転し、これによってクリックバネ１２０のクリック弾接部１３１がケース１５０のクリック係合穴１５９に弾接係合（離脱）してクリック感触を生じると共に、摺動子１００の接点部１０７が第１回路基板部３１の摺接パターン４１上を摺動して摺接パターン４１の電気的出力が変化する。
【００３１】
一方押釦つまみ１８０の本体部１８１の上面を押圧すると、押釦つまみ１８０が下降してその押圧部１８３が中央スイッチ４３の反転板４３ａを押圧してこれを反転し、これによって中央スイッチ４３がオンする。押釦つまみ１８０への押圧を解除すれば、反転板４３ａは元の形状に自動復帰し、押釦つまみ１８０は押し上げられて中央スイッチ４３はオフする。一方操作つまみ２１０の本体部２１１上面の、前記取付台６０の何れかの押圧部７１に対応する部分を下方向に押圧すると、取付台６０上に設置している各構成部品（ケース１５０や回転体９０や操作つまみ２１０等）が取付台６０と一体に押圧された方向に傾いて揺動し、下降した側の押圧部７１がこれに対向する周囲スイッチ４５の反転板４５ａを押圧してこれを反転してその周囲スイッチ４５をオンする。前記操作つまみ２１０への押圧を解除すれば、反転板４５ａの自動復帰力で取付台６０上の操作つまみ２１０を含む各構成部品が一体に元の位置に自動復帰し、周囲スイッチ４５はオフする。
【００３２】
このクリック機能付き回転式電子部品１−１を例えば携帯型端末装置等に用いた場合は、一例として操作つまみ２１０の回転操作によって所定の操作内容を順に携帯型端末装置の表示部に表示させ、操作つまみ２１０を揺動させる操作で前記表示させた操作内容の内の何れかを選択し、さらに押釦つまみ１８０を押圧する操作でこの選択した操作内容を確定する等して用いることができる。
【００３３】
以上説明したように、クリック機能付き回転式電子部品１−１は、ケース１５０と、ケース１５０の一方の面（上面）側に設置される操作つまみ２１０と、ケース１５０の他方の面（下面）側に設置され操作つまみ２１０の回転と共に回転する回転体９０と、回転体９０の回転によって電気的出力を変化する摺動子１００及び摺接パターン４１からなる電気的機能部とを具備し、ケース１５０と回転体９０の間に操作つまみ２１０の回転と共に回転するクリックバネ１２０を設置し、前記ケース１５０のグリスを塗布したクリック当接面１５８に設けたクリック係合穴１５９にクリックバネ１２０に設けたクリック弾接部１３１を係合させることによりクリック感触を生じさせる構造であるが、本発明においてはさらにケース１５０のクリック係合穴１５９を貫通孔で構成したので、ケース１５０の厚みを容易に薄くすることができる。つまりクリック係合穴１５９を凹部としないで貫通孔とすることで、容易にケース１５０の厚みを薄くすることができる。一方貫通孔でない凹状のクリック係合穴１５９であればクリック当接面１５８に塗布された潤滑のためのグリスがケース１５０の上部に漏れ出ることはないが、これを貫通孔とした場合はケース１５０の上部に漏れ出て、さらにケース１５０と操作つまみ２１０の間から外部に漏れ出てしまう恐れがある。しかしながらこのクリック機能付き回転式電子部品１−１では、クリック係合穴１５９を貫通孔にすると同時にケース１５０の操作つまみ２１０を設置する側の面にクリック係合穴１５９を塞ぐ塞ぎ板１７０を設置したので、クリック当接面１５８に塗布するグリスがケース１５０の操作つまみ２１０を設置する面側に漏れるのを防ぐことができる。このとき塞ぎ板１７０はグリスの漏れを防げば良いので強い強度は必要なく容易に薄く構成できる。つまりクリック係合穴１５９を凹部から貫通孔にすることによってケース１５０の厚みを薄くできる寸法の方が、塞ぎ板１７０によって厚くなる寸法よりも容易に大きくすることができるので、クリック機能付き電子部品１−１全体から見ればその厚みを薄型化することができる。また塞ぎ板１７０はクリック係合穴１５９を塞ぐだけで良いので形状が簡単であるばかりか、金属板のような硬い部材を用いる必要がないので、製造も容易である。従ってこのクリック機能付き電子部品１−１を容易に安価に製造できる。
【００３４】
特にこのクリック機能付き回転式電子部品１−１の場合、塞ぎ板１７０をこの塞ぎ板１７０と操作つまみ２１０間の動摩擦係数の方が、ケース１５０と操作つまみ２１０間の動摩擦係数よりも小さくなる材質の表面の滑らかな合成樹脂板によって構成しているので、操作つまみ２１０の回転移動抵抗を小さくして操作つまみ２１０の回転移動をスムーズに行わせる機能を塞ぎ板１７０に兼用させることができる。また塞ぎ板１７０として合成樹脂板を用いたので、その薄型化及び加工が容易で、クリック機能付き電子部品１−１の薄型化及び低コスト化をより確実に図ることができる。
【００３５】
またこのクリック機能付き回転式電子部品１−１の場合、さらにケース１５０を載置する取付台６０と、取付台６０を揺動自在に支持する支持部材１０と、取付台６０の揺動によって押圧される周囲スイッチ（押圧スイッチ）４５とを具備しているので、クリック機能付き電子部品１−１に揺動式電子部品の機能を一体化した多機能型の電子部品をコンパクトに構成することができる。
【００３６】
〔第２実施形態〕
ところで上記実施形態では本発明を、回転式電子部品と押圧式電子部品と揺動式電子部品の機能を一体化した電子部品に適用した例を示したが、回転式電子部品と押圧式電子部品の機能を一体化した電子部品、即ち取付台を揺動自在に支持しない構成の電子部品に本発明を適用しても良い。図７はこの種のクリック機能付き電子部品（以下「クリック機能付き回転式電子部品」という）１−２を示す概略側断面図である。同図に示すクリック機能付き回転式電子部品１−２において、前記図１〜図６に示すクリック機能付き回転式電子部品１−１と同一又は相当部分には同一符号を付す。なお以下で説明する事項以外の事項については、前記図１〜図６に示すクリック機能付き回転式電子部品１−１と同じである。
【００３７】
このクリック機能付き回転式電子部品１−２において前記クリック機能付き回転式電子部品１−１と相違する点は、クリック機能付き回転式電子部品１−１で設けた支持部材１０の係合片取付部１３及び係合片挿入部１５と取付台６０の係合片６７及び係止部６９を省略し、取付台６０の外周に下方向に向かう係止片７３を設けてその先端を第２回路基板部３３と支持部材１０とに設けた図示しない小孔に挿入して支持部材１０の下面から突出する係止片７３の先端を折り曲げて固定することで取付台６０を第２回路基板部３３上に固定し、また周囲スイッチ４５とこれに対向する押圧部７１とを省略することで揺動式電子部品の機能を省略した点である。
【００３８】
〔第３実施形態〕
図８は本発明を用いて構成した第３実施形態にかかるクリック機能付き電子部品（以下「クリック機能付きスライド式電子部品」という）１−３の概略側断面図である。同図に示すクリック機能付きスライド式電子部品１−３は、支持部材３１０上に、回路基板（以下「フレキシブル回路基板」という）３３０と、電気的機能部である摺動子３８０を取り付けた移動体（以下「スライド移動体」という）３６０と、クリックバネ４００と、ケース４４０と、塞ぎ板４７０と、操作つまみ４８０とを設置して構成されている。以下各構成部品について順に説明する。
【００３９】
支持部材３１０は金属製の硬質板（例えば鉄板）によって構成されている。フレキシブル回路基板３３０は、可撓性を有する合成樹脂フイルム３３１上に所望の摺接パターン３３３を形成して構成されている。合成樹脂フイルム３３１の材質は、前記フレキシブル回路基板３０を構成する合成樹脂フイルムの材質と同様である。摺接パターン３３３はこの例では２トラック上に設けられており、直線状の抵抗体パターン又はスイッチパターン等によって構成されている。
【００４０】
スライド移動体３６０は合成樹脂を略矩形状に成形して構成されており、その中央に上下に貫通する孔からなる挿入部３６１を設け、また挿入部３６１の両側上面に一対の収納凹部３６３を設けている。一方スライド移動体３６０の下面は摺動子３８０を設置する摺動子設置部３６５となっている。摺動子３８０は弾性金属板製であり、略矩形の平板状に形成された基部３８１の外周辺から突出して基部３８１の下面側に折り曲げられた一対の摺接ブラシ３８３を有して構成されている。基部３８１は図示しない取付手段によって摺動子設置部３６５の下面に取り付けられている。
【００４１】
クリックバネ４００は弾性金属板を略矩形に形成した基部４０１と、基部４０１の外周の左右両側の１８０°対向する位置から突出する一対のアーム部４０３とを一体に形成して構成されている。基部４０１の中央（前記スライド移動体３６０の挿入部３６１に対向する位置）には上下に貫通する挿通部４０５が設けられ、また挿通部４０５の両側（前記スライド移動体３６０の収納凹部３６３に対向する位置）には上下に貫通する取付固定部４０７が設けられている。一対のアーム部４０３はその一端が基部４０１の外周の所定位置に連結されており、両アーム部４０３の所定位置には上方向に向かって突出するように屈曲してなるクリック弾接部４０９が設けられている。
【００４２】
ケース４４０は合成樹脂（この例ではＰＣ樹脂）を成形して構成されており、略矩形平板状の上面部４４１と、上面部４４１の外周から下方に突出してなる側壁部４４３とを具備している。上面部４４１の中央には下記する操作つまみ４８０のガイド部４８５を図８の紙面奥行方向にスライド自在に挿入する上下に貫通する矩形状の開口部４４５を有している。また上面部４４１の裏面は、クリックバネ４００のクリック弾接部４０９が当接するクリック当接面４１２となっている。クリック当接面４１２にはグリスが塗布されている。また上面部４４１の開口部４４５と側壁部４４３の間の面（クリック当接面４１２中）には、前記クリックバネ４００のクリック弾接部４０９を係合・弾接させる多数の上下に貫通する貫通孔からなるクリック係合穴４１１が紙面奥行方向に直線状に等間隔に設けられている。
【００４３】
塞ぎ板４７０は、フッ素樹脂（この例ではＰＴＦＥ樹脂）等の摺動性に優れた成形樹脂製の薄形状部材（合成樹脂板）であり、ケース４４０の上面部４４１の外形よりも小さいが全てのクリック係合穴４１１を覆う大きさの矩形状に形成され、その中央に前記ケース４４０の開口部４４５と略同一内径の開口部４７１を設けて構成されている。この塞ぎ板４７０は、ケース４４０の貫通するクリック係合穴４１１を塞ぐと同時に、その両面が滑らかで摺動製に優れており、ケース４４０と操作つまみ４８０間に挟持されてケース４４０に対する操作つまみ４８０の移動抵抗が小さくスライド摺動性を向上するものである。即ちこの塞ぎ板４７０は、この塞ぎ板４７０と操作つまみ４８０間の動摩擦係数の方が、ケース４４０と操作つまみ４８０間の動摩擦係数よりも小さくなる材質の合成樹脂板によって構成されている。
【００４４】
操作つまみ４８０は合成樹脂（この例ではＡＢＳ樹脂）の成形品であり、略矩形状の本体部４８１の下面中央から下方向に向かってスライド移動体係止部４８３を突設し、またスライド移動体係止部４８３の左右両側から下方向に向かってガイド部４８５を突設して構成されている。ガイド部４８５の下端辺の所定位置（前記クリックバネ４００の各取付固定部４０７に対向する位置）には下方向に向かって円柱状の小突起からなるクリックバネ固定部４８７が突設している。
【００４５】
そしてクリック機能付きスライド式電子部品１−３を組み立てるには、まず予めケース４４０のクリック当接面４１２にグリスを塗布しておく。そして図８に示すように、操作つまみ４８０の本体部４８１の下側に塞ぎ板４７０を載置したケース４４０を設置し、その際塞ぎ板４７０の開口部４７１とケース４４０の開口部４４５内に操作つまみ４８０のガイド部４８５をスライド移動自在に挿入し、次にケース４４０のクリック当接面４１２側にクリックバネ４００を設置してクリックバネ４００の挿通部４０５に操作つまみ４８０のスライド移動体係止部４８３を挿入してその下面側に突出すると同時にクリックバネ４００の取付固定部４０７に操作つまみ４８０のクリックバネ固定部４８７を挿入し、クリックバネ固定部４８７の先端を熱かしめすることでケース４４０及び塞ぎ板４７０を介して操作つまみ４８０とクリックバネ４００とを一体化する。このときクリックバネ４００の基部４０１は操作つまみ４８０のガイド部４８５の下端面に当接し、同時にクリックバネ４００の両クリック弾接部４０９はケース４４０のクリック当接面４１２に弾接する。そして摺動子３８０を取り付けたスライド移動体３６０をクリックバネ４００の下面側に設置する。このときクリックバネ４００の下面側に突出している操作つまみ４８０のスライド移動体係止部４８３をスライド移動体３６０の挿入部３６１に挿入する。なおスライド移動体係止部４８３の先端はスライド移動体３６０の挿入部３６１内に位置し、スライド移動体３６０の下面（摺動子設置部３６５の面）に突出していない。そしてフレキシブル回路基板３３０と支持部材３１０とをケース４４０の側壁部４４３の下端面に設置して図示しない取付手段でこれら各部材間を一体に固定すれば、クリック機能付きスライド式電子部品１−３の組み立てが完了する。
【００４６】
そして操作つまみ４８０をスライド移動すると、これと一体にクリックバネ４００及びスライド移動体３６０及び摺動子３８０がスライド移動し、これによってクリックバネ４００のクリック弾接部４０９がケース４４０のクリック係合穴４１１に弾接係合（離脱）してクリック感触が生じると共に、摺動子３８０の摺接ブラシ３８３が摺接パターン３３３上を摺動して摺接パターン３３３の電気的出力を変化する。
【００４７】
以上説明したように、クリック機能付きスライド式電子部品１−３は、ケース４４０と、ケース４４０の一方の面側に設置される操作つまみ４８０と、ケース４４０の他方の面側に設置され操作つまみ４８０のスライド移動と共にスライド移動するスライド移動体３６０と、スライド移動体３６０のスライド移動によって電気的出力を変化する摺動子３８０及び摺接パターン３３３からなる電気的機能部とを具備し、ケース４４０とスライド移動体３６０の間に操作つまみ４８０のスライド移動と共にスライド移動してクリック感触を生じるクリックバネ４００を設置し、前記ケース４４０のグリスを塗布したクリック当接面４１２に設けたクリック係合穴４１１にクリックバネ４００に設けたクリック弾接部４０９を係合させることによりクリック感触を生じさせる構造であるが、本発明においてはケース４４０のクリック係合穴４１１を貫通孔で構成したので、ケース４４０の厚みを容易に薄くすることができる。つまりクリック係合穴４１１を凹部としないで貫通孔とすることで、容易にケース４４０の厚みを薄くすることができる。一方貫通孔でない凹状のクリック係合穴４１１であればクリック当接面４１２に塗布された潤滑のためのグリスがケース４４０の上部に漏れ出ることはないが、これを貫通孔とした場合はケース４４０の上部に漏れ出てしまう恐れがある。しかしながらこのクリック機能付きスライド式電子部品１−３では、クリック係合穴４１１を貫通孔にすると同時にケース４４０の操作つまみ４８０を設置する側の面にクリック係合穴４１１を塞ぐ塞ぎ板４７０を設置したので、クリック当接面４１２に塗布するグリスがケース４４０の操作つまみ４８０を設置する面側に漏れるのを防ぐことができる。このとき塞ぎ板４７０はグリスの漏れを防げば良いので強い強度は必要なく容易に薄く構成できる。つまりクリック係合穴４１１を凹部から貫通孔にすることによってケース４４０の厚みを薄くできる寸法の方が、塞ぎ板４７０によって厚くなる寸法よりも容易に大きくすることができるので、クリック機能付きスライド式電子部品１−３全体から見ればその厚みを薄型化することができる。また塞ぎ板４７０はクリック係合穴４１１を塞ぐだけで良いので形状が簡単であるばかりか、金属板のような硬い部材を用いる必要がないので、製造も容易である。従ってこのクリック機能付きスライド式電子部品１−３を容易に安価に製造できる。
【００４８】
特にこのクリック機能付きスライド式電子部品１−３の場合、塞ぎ板４７０をこの塞ぎ板４７０と操作つまみ４８０間の動摩擦係数の方が、ケース４４０と操作つまみ４８０間の動摩擦係数よりも小さくなる材質の表面の滑らかな合成樹脂板によって構成しているので、操作つまみ４８０のスライド移動抵抗を小さくして操作つまみ４８０のスライド移動をスムーズに行わせる機能を塞ぎ板４７０に兼用させることができる。また塞ぎ板４７０として合成樹脂板を用いたので、その薄型化及び加工が容易で、クリック機能付きスライド式電子部品１−３の薄型化及び低コスト化をより確実に図ることができる。
【００４９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えばクリックバネの形状・構造等は種々の変形が可能であり、要はケースと移動体の間に設置され操作つまみの移動と共に移動し、ケースに設けたクリック係合穴にクリック弾接部を係合させることによりクリック感触を生じさせるクリックバネであればどのような形状・構造であっても良い。また塞ぎ板の形状・構造も、クリック係合穴を塞ぐ形状・構造であれば、他の種々の形状・構造であっても良い。
【００５０】
また上記各例では塞ぎ板として成形樹脂製の合成樹脂板を用いたが、フイルム製の合成樹脂板を用いても良い。即ち合成樹脂板は可撓性を有する合成樹脂フイルムを含む概念である。また上記クリック機能付き回転式電子部品１−１，１−２では、中央に押圧式電子部品の機能を設けたが、押圧式電子部品の機能は省略し、回転式電子部品の機能のみとしても良い。
【図面の簡単な説明】
【００５１】
【図１】クリック機能付き回転式電子部品１−１の概略側断面図である。
【図２】クリック機能付き回転式電子部品１−１を上側から見た斜視図である。
【図３】クリック機能付き回転式電子部品１−１（その上側の部品）を上側から見た分解斜視図である。
【図４】クリック機能付き回転式電子部品１−１（その下側の部品）を上側から見た分解斜視図である。
【図５】クリック機能付き回転式電子部品１−１（その上側の部品）を下側から見た分解斜視図である。
【図６】クリック機能付き回転式電子部品１−１（その下側の部品）を下側から見た分解斜視図である。
【図７】クリック機能付き回転式電子部品１−２の概略側断面図である。
【図８】クリック機能付きスライド式電子部品１−３の概略側断面図である。
【符号の説明】
【００５２】
１−１  クリック機能付き回転式電子部品（クリック機能付き電子部品）
１０  支持部材
３０  フレキシブル回路基板
３１  第１回路基板部（第１回路基板）
３３  第２回路基板部（第２回路基板）
４１  摺接パターン（電気的機能部）
４３  中央スイッチ（押圧スイッチ）
４５  周囲スイッチ（押圧スイッチ）
６０  取付台
９０  回転体（移動体）
１００  摺動子（電気的機能部）
１２０  クリックバネ
１３１  クリック弾接部
１５０  ケース
１５８  クリック当接面
１５９  クリック係合穴
１７０  塞ぎ板
１８０  押釦つまみ
２１０  操作つまみ
１−２  クリック機能付き回転式電子部品（クリック機能付き電子部品）
１−３  クリック機能付きスライド式電子部品（クリック機能付き電子部品）
３１０  支持部材
３３０  フレキシブル回路基板（回路基板）
３６０  スライド移動体（移動体）
３８０  摺動子
４００  クリックバネ
４０９  クリック弾接部
４１１  クリック係合穴
４１２  クリック当接面
４４０  ケース
４７０  塞ぎ板
４８０  操作つまみ
【図１】
2009146649.tif 000003
【図２】
2009146649.tif 000004
【図３】
2009146649.tif 000005
【図４】
2009146649.tif 000006
【図５】
2009146649.tif 000007
【図６】
2009146649.tif 000008
【図７】
2009146649.tif 000009
【図８】
2009146649.tif 000010